(57)【要約】【課題】逆スラブ方式で、かつ下地板直接支持方式の基礎に於いて、床下の湿気を確実に排除できる、基礎構造を提供する。【解決手段】逆スラブ方式の基礎１のコンクリート製基礎天面４の上に床束６を立てて、この床束６で合板製の下地板７と、発泡断熱板９とを直接支持する。土台１０と基礎天面４との間には適当な位置に基礎パッキン１１を介装する。パッキン１１の無い位置にできた通気間隙１２によって、床下の換気を図り、床下に発生した湿気を排除する。床束６は背が低くて、上方から高さ調節可能であり、下地板７の支持位置には予じめ開口１６を形成しておく。【選択図】  図１
2004332480.tif 000002
【特許請求の範囲】
【請求項１】
逆スラブ方式で構成された基礎と、この基礎のコンクリート製の基礎天面の上に、適当な間隔で設けられた床束と、この床束で支持された下地板と、壁面の下端に設けられた土台と、この土台と基礎天面との間の適所に介装された基礎パッキンとからなり、床束は背が低くて、上方から高さの調節が可能であり、下地板は合板製で、床束で支持される位置には開口が形成されており、床下で発生した湿気は、基礎パッキンのない位置にできた通気間隙を介しての自然換気によって排除されるようになっている逆スラブ方式の建物の基礎構造。
【請求項２】
逆スラブ方式で構成された基礎と、この基礎のコンクリート製の基礎天面の上に、適当な間隔で設けられた床束と、この床束で支持された下地板と、壁面の下端に設けられた土台と、この土台と基礎天面との間の適所に介装された基礎パッキンとからなり、床束は上フランジが広く、かつ、上方から高さの調節が可能であり、下地板は薄い合板製で、床束で支持される位置には開口が形成されており、床下で発生した湿気は、基礎パッキンのない位置にできた通気間隙を介しての自然換気によって排除されるようになっている逆スラブ方式の建物の基礎構造。
【請求項３】
下地板の下面に、合成樹脂製の発泡断熱板が設けられている請求項１又は２記載の逆スラブ方式の建物の基礎構造。
【発明の詳細な説明】
【０００１】
【発明の属する技術分野】
この発明は、逆スラブ方式にした、住宅などの建物に用いる基礎構造に関する。
【０００２】
【従来の技術】
床下に盛り土をする逆スラブ方式で基礎を構成すれば、建設残土の廃棄が不要になったり、地熱の有効利用が図れるなどの利点があるが、反面、床下の空間が少なくなり、地面からの湿気による悪影響を受け易くなる。また、下地板の支持に際して、大引きや根太などを用いることなく、下地板を直接、床束などで支持する方式も従来から実施されていて、この方式によれば床下の必要寸法を短縮できる利点はあるが、その分、床下の空間が減少する為、湿気の影響が大きくなる。その上、従来この下地板直接支持方式の場合には、下地板として、工場生産された専用の床パネルを用いるのが通例である。（例えば、特許文献１、特許文献２参照）
【０００３】
【特許文献１】
特開２００２−２６６４９５号公報（第１−３頁、図１−２）
【特許文献２】
特開平１１−５０５８５号公報（第１−４頁、図１−３）
【０００４】
【発明が解決しようとする課題】
以上のように、逆スラブ方式や下地板直接支持方式では、床下の空間が狭くなって、湿気の影響を受け易くなる為、通常の支持方式では、湿気を完全に排除することができない。また、従来のように下地板に専用パネルを用いる方式では、製造コストが高くなるという問題がある。
【０００５】
本発明は、このような点に鑑み、逆スラブ方式と、下地板直接支持方式とを採る際に、地面からの湿気の悪影響を完全に排除できる新らたな基礎構造を提供するにある。また、本発明は廉価に実施可能な基礎構造を提供するにある。
【０００６】
【課題を解決するための手段】
本発明の基礎構造の技術的手段は、逆スラブ方式で構成された基礎と、この基礎のコンクリート製の基礎天面の上に、適当な間隔で設けられた床束と、この床束で支持された下地板と、壁面の下端に設けられた土台と、この土台と基礎天面との間の適所に介装された基礎パッキンとからなり、床束は背が低くて、上方から高さの調節が可能であり、下地板は合板製で、床束で支持される位置には開口が形成されており、床下で発生した湿気は、基礎パッキンのない位置にできた通気間隙を介しての自然換気によって排除されるようになっていることにある。
【０００７】
また、逆スラブ方式で構成された基礎と、この基礎のコンクリート製の基礎天面の上に、適当な間隔で設けられた床束と、この床束で支持された下地板と、壁面の下端に設けられた土台と、この土台と基礎天面との間の適所に介装された基礎パッキンとからなり、床束は上フランジが広く、かつ、上方から高さの調節が可能であり、下地板は薄い合板製で、床束で支持される位置には開口が形成されており、床下で発生した湿気は、基礎パッキンのない位置にできた通気間隙を介しての自然換気によって排除されるようにしてもよい。
【０００８】
また、下地板の下面に、合成樹脂製の発泡断熱板を設けるのが好ましい。
【０００９】
【発明の実施の形態】
本発明の基礎構造の実施の形態を、図面の実施例に基づいて説明する。図１には、住宅に用いた基礎構造が示されている。基礎１は、逆スラブ方式である為、盛り土２をして締め固め、その上面と周側面とをコンクリート３で固めて形成されている。この為、基礎天面４は地面５よりも高位置となり、かつ、前面に互って平面状である。
【００１０】
このような基礎天面４の上に床組みが施される。床組みは、大引きや根太を用いることなく下地板を直接支持する方式である。この為の支持は、適当な位置に配した床束６で行われる。床束６としては、比較的に背が低く、高さ調節自在なものを用いる。床の構成は、下地板７の上面に床表板８を貼る方式であり、下地板７には市販の合板を用いる。即ち、市販の合板を適宜、切断・穿孔し、これを並べて、その下面の適所を床束で支持する形式である。水平レベルの調節は、下地板７の載置後に、上面から、床束６の高さを調節することにより行う。この為、下地板７の支持位置には、穿孔や切欠などの開口１６を予じめ形成する必要がある。また、下地板７の下面に、合成樹脂製の発泡断熱板９を設けて、結露防止を図るようにしてもよい。
【００１１】
１０は土台で、土台１０の下面には、適当な間隔で基礎パッキン１１が介装される。これにより、図２のようにパッキン１１の無い所が、通気間隙１２となり、ここから床下の換気を図る。換気量は非常に大きいので、床下の湿気を完全に排除可能である。なお、図１に於いて、１３は柱、１４は外装材、１５は水切り材である。
【００１２】
図３には、使用可能な床束６の一実施例が示されている。床束６は、互に螺合する下筒６１と上筒６２とからなる。下筒６１は、その下端に下フランジ６３が設けられていて、基礎天面４の上の所定の箇所に接着や釘止め６４で固定さける。上筒６２の上端には、６角孔６５が設けられていて、ここに工具を挿し込んで回転させることにより、上下の筒の螺合割合を考えて床束の高さを調節する。上筒６２の外には、上フランジ６６が套嵌され、押えチャップ６７で固定される。そして、この上フランジ６６の上に、発泡断熱材９や下地板７が載置固定される。下地板７の水平レベルの調節は、開口１６から行うことができる。
【００１３】
図４には、床束の他の実施例が示されている。この床束では上フランジ６６が広くなっていて、下地板７の支持面積が大きいので、下地板７の撓みを少なくでき、市販の薄い合板でも使用できるようになり、床組みコストを低くできる。
【００１４】
本発明は、前記の実施例に限定されるものではなく、特許請求の範囲の記載の範囲内で自由に変形実施可能である。特に、床束の構造、発泡断熱材の使用の有無などは自由である。
【００１５】
【発明の効果】
本発明の基礎構造は、土台の下面の、基礎パッキンの無い位置にできた通気間隙を介して、床下の換気を図るので、換気性に富む。この為、逆スラブ方式で、かつ、下地板の直接支持方式によったために床下空間が狭くなって、湿気の影響を受け易くなっているにもかかわらず、充分な換気によって床下の湿気を完全に排除可能である。これにより、逆スラブ方式での建築の利用性が大幅に増進するので、実用上、極めて有益である。また下地板には市販の合板を用いるので、従来の専用パネルを用いるのに比べて、格段に製造コストの低下を図ることができる。
【００１６】
請求項２のものでは、床束の上フランジが広いので、下地板として薄い合板の使用可能で、床組みコストを下げることができる。
【００１７】
請求項３のものでは、下地板の下面に発泡断熱板を設けたので、結露防止を確実に果すことができる。
【図面の簡単な説明】
【図１】使用状態の基礎構造の断面図。
【図２】基礎パッキンの配置例を示す側面図。
【図３】床束の一実施例の断面図。
【図４】床束の他の実施例の断面図。
【符号の説明】
１        基礎
２        盛り土
３        基礎コンクリート
４        基礎天面
６        床束
７        下地板
８        発泡断熱板
９        床表板
１０      土台
１１      基礎パッキン
１２      通気間隙
１６      開口
【図１】
2004332480.tif 000003
【図２】
2004332480.tif 000004
【図３】
2004332480.tif 000005
【図４】
2004332480.tif 000006